(57)【要約】【課題】環境問題が少なくかつリサイクルが可能で、自動サック貼り機で容易に折り畳み製函ができ、かつ店頭でも手で容易に組み立て可能な追加物保持機能付き紙製カートン、たとえば、ドリンク剤を化粧箱ごと購入した消費者に対してプレミアム（３本増量パック）を店頭でアソートする際に使われる、独自の構造によりプレミアムを収納・保持することが出来る紙製カートンを提供すること。【解決手段】手提げカートンの側面部に設けられた、切り込み線に囲まれた部分が側面前面版Ｃ、側面ガイド板Ｄ，Ｄ’、側面底面板Ｅとなり、側面前面板Ｃを手前に引き出すことによって追加物を保持できる保持部を形成することを特徴とする手提げカートン。【選択図】図１
2010006445.tif 000002
【特許請求の範囲】
【請求項１】
中央下部に横長矩形状の前手提げ孔１を穿設してなる前手提げ板３と、その上部に、一対の折り目線（ｂ），（ｃ）を介した左右に右側面板５および左側面板６を有する前側面板７が、折り目線（ａ）を介して連接され、前側面版７の上部には折り目線（ｆ）を介して底面板８が連接され、底面版８の上部には左右に折り目線（ｇ），（ｈ）を介して連接された左右ののりしろ片９，１０を有する後側面板１１が折り目線（ｉ）を介して連接され、後側面板の上部には、折り目線（ｊ）を介して、中央上部に横長矩形状の後手提げ孔２を穿設してなる後手提げ板４とが連接してなるブランクスを製函して形成される手提げカートンであって、ブランクスの前側面板７の片側上部から下部を通って反対側上部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の上側端をつなぐようにカートン底面板８との境界となる折り目線（ｆ）が、さらにこの折り目線（ｆ）より下部に折り目線（ｆ）に平行な折り目線（ｋ）が設けられており、さらにこの折り目線（ｋ）の下部で切り込み線Ａと切り込み線Ｂ，Ｂ’の間に一対の折り目線（ｍ），（ｌ）とその下部に一対の折り目線（ｎ），（ｏ）が設けられたブランクスを製函して形成されたことを特徴とする手提げカートン。
【請求項２】
上部に開口を有し、側面板と底面板とからなり、側面板に連接した手提げ孔つきの手提げ板を備え、前側面板７の片側下部から上部を通って反対側下部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の下側端をつなぐようにカートン底面板８との境界となる折り目線（ｆ）が、さらにこの折り目線（ｆ）より上部に折り目線（ｆ）に平行な折り目線（ｋ）が設けられており、さらにこの折り目線（ｋ）の上部で切り込み線Ａと切り込み線Ｂ，Ｂ’の間に一対の折り目線（ｍ），（ｌ）とその上部に一対の折り目線（ｎ），（ｏ）が設けられた手提げカートンであって、必要な場合には、切り込み線Ａ，Ｂ、Ｂ’を切離し、折り目線（ｌ），（ｍ）を谷折り、折り目線（ｋ）、（ｎ）．（ｏ）を山折りして、側面前面板Ｃを手前に引き出すことによって、切り込み線に囲まれた部分が側面前面版Ｃ、側面ガイド板Ｄ，Ｄ’、側面底面板Ｅとなり、追加物を保持できる保持部を形成出来ることを特徴とする請求項１に記載の手提げカートン。
【発明の詳細な説明】
【技術分野】
【０００１】
本発明は、複数本の飲料ボトルやボトルを充填している紙箱などを搬送、展示する紙製キャリアカートンに関するものである。特に、紙のみを使用し、別の商品をアソートする機能がついた手提げ形状のカートンに関する。
【背景技術】
【０００２】
従来、複数本の缶ビール等を収容し持ち運びに好適な紙製のキャリアバッグが知られているが、これらは主に複数本の飲料缶を店頭へ並べる前の段階で包装するものであり、店頭での販売時に内容物を包装する運搬用のキャリアバッグとしては例えば、図４の斜視図に示すような、塩化ビニル製の軟フィルム製キャリアバッグであって、その開口縁に把手を設け、内部に瓶同士がぶつかり合って傷付かないように２枚の細長矩形状板紙を組み合わせた十字状仕切り板を付加したもの等が僅かに使用されていた。（特許文献１）
このようなプラスチック製の手提げ袋は内容物の形状がさまざまであっても包装・運搬が可能であるという汎用性のあるものではあったが、材質がプラスチックであったため、廃棄の場合の環境に対する適性に難があった。
【０００３】
環境適性を考慮して、この構造のままで材質だけを紙製に切り替えると包装と運搬に必要な強度を保持することができない。
【０００４】
そこで、フィルム製の袋に代わって環境問題がなく、自動サック貼り機で容易に折り畳み製函ができ、かつ店頭でも手で容易に組み立て可能な図５に示すような紙製のキャリアカートンが提案されている。
【０００５】
特許文献１に示されたこの紙製のキャリアカートンは、近年の廃棄物増加に係わる環境問題、特にダイオキシン問題が取り沙汰されている中、省資源も含め敬遠されるようになってきた軟フィルムバッグ等に代わり得るものである。また、最近瓶ビール特に小瓶が多く出回るようになり、それらの瓶や清涼飲料ボトルを複数本持ち運びが可能で、店頭でも手で容易に組み立てのできる紙製のボトルキャリアーが要望されていた。しかも製造コストの低減を考慮した自動サック貼り機による製函が可能なものが望まれていることに対する一つの回答である。
【０００６】
さらに、近年、商品を販売する際に、商品自体や関連する商品が追加されることが行われている。フィルム製の袋の場合は、追加商品を袋の上に置いたり、袋中に入れることが出来るが、紙製のキャリアカートンは、上におくことが出来ず（不安定）、キャリアカートンの中に入れることが出来ない。
【０００７】
また、キャリアカートンの外側に粘着テープ等で貼り付けることも出来るが不安定であり、さらに、キャリアカートンの外側の粘着テープが剥がれて追加商品等を落として破損してしまうことがあった。そのため、商品等を店頭で追加する場合にはフィルム製の袋を使用する必要があった。
【特許文献１】特開２０００−２８１１２６号公報
【発明の開示】
【発明が解決しようとする課題】
【０００８】
環境問題が少なくかつリサイクルが可能で、自動サック貼り機で容易に折り畳み製函ができ、かつ店頭においても手で容易に組み立てが可能な追加物保持機能付き紙製カートン、たとえば、ドリンク剤を化粧箱ごと購入した消費者に対してプレミアム（３本増量パック）を店頭でアソートする際に使われる、独自の構造によりプレミアムを収納・保持することが出来る紙製カートンを提供することにある。
【課題を解決するための手段】
【０００９】
本発明に於いて上記課題を達成するための請求項１の発明は、中央下部に横長矩形状の前手提げ孔１を穿設してなる前手提げ板３と、その上部に、一対の折り目線（ｂ），（ｃ）を介した左右に右側面板５および左側面板６を有する前側面板７が、折り目線（ａ）を介して連接され、前側面版７の上部には折り目線（ｆ）を介して底面板８が連接され、底面版８の上部には左右に折り目線（ｇ），（ｈ）を介して連接された左右ののりしろ片９，１０を有する後側面板１１が折り目線（ｉ）を介して連接され、後側面板の上部には、折り目線（ｊ）を介して、中央上部に横長矩形状の後手提げ孔２を穿設してなる後手提げ板４とが連接してなるブランクスを製函して形成される手提げカートンであって、ブランクスの前側面板７の片側上部から下部を通って反対側上部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の上側端をつなぐようにカートン底面板８との境界となる折り目線（ｆ）が、さらにこの折り目線（ｆ）より下部に折り目線（ｆ）に平行な折り目線（ｋ）が設けられており、さらにこの折り目線（ｋ）の下部で切り込み線Ａと切り込み線Ｂ，Ｂ’の間に一対の折り目線（ｍ），（ｌ）とその下部に一対の折り目線（ｎ），（ｏ）が設けられたブランクスを製函して形成されたことを特徴とする手提げカートンであり、その製函は、前記左右ののりしろ片の表面に糊付けし、前側面板の左右の一対の折り目線を内側に折り返して右側面板および左側面板とそれぞれ貼着し、続いて各折り目線に従って折り曲げることで形成される手提げカートンである。
【００１０】
本発明の請求項２の発明は、上部に開口を有し、側面板と底面板とからなり、側面板に連接した手提げ孔つきの手提げ板を備え、前側面板７の片側下部から上部を通って反対側下部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の下側端をつなぐようにカートン底面板８との境界となる折り目線（ｆ）が、さらにこの折り目線（ｆ）より上部に折り目線（ｆ）に平行な折り目線（ｋ）が設けられており、さらにこの折り目線（ｋ）の上部で切り込み線Ａと切り込み線Ｂ，Ｂ’の間に一対の折り目線（ｍ），（ｌ）とその上部に一対の折り目線（ｎ），（ｏ）が設けられた手提げカートンであって、必要な場合には、切り込み線Ａ，Ｂ、Ｂ’を切離し、折り目線（ｌ），（ｍ）を谷折り、折り目線（ｋ）、（ｎ）．（ｏ）を山折りして、側面前面板Ｃを手前に引き出すことによって、切り込み線に囲まれた部分が側面前面版Ｃ、側面ガイド板Ｄ，Ｄ’、側面底面板Ｅとなり、追加物を保持できる保持部を形成出来ることを特徴とする請求項１に記載の手提げカートンである。
【発明の効果】
【００１１】
本発明は以上の構成であるから、下記に示す如き効果がある。即ち、中央下部に横長矩形状の前手提げ孔１を穿設してなる前手提げ板３と、その上部に、一対の折り目線（ｂ），（ｃ）を介した左右に右側面板５および左側面板６を有する前側面板７が、折り目線（ａ）を介して連接され、前側面版７の上部には折り目線（ｆ）を介して底面板８が連接され、底面版８の上部には左右に折り目線（ｇ），（ｈ）を介して連接された左右ののりしろ片９，１０を有する後側面板１１が折り目線（ｉ）を介して連接され、後側面板の上部には、折り目線（ｊ）を介して、中央上部に横長矩形状の後手提げ孔２を穿設してなる後手提げ板４とが連接してなるブランクスを製函して形成される手提げカートンであって、ブランクスの前側面板７の片側上部から下部を通って反対側上部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の上側端をつなぐようにカートン底面板８との境界となる折り目線（ｆ）が、さらにこの折り目線（ｆ）より下部に折り目線（ｆ）に平行な折り目線（ｋ）が設けられており、さらにこの折り目線（ｋ）の下部で切り込み線Ａと切り込み線Ｂ，Ｂ’の間に一対の折り目線（ｍ），（ｌ）とその下部に一対の折り目線（ｎ），（ｏ）が設けられたブランクスを製函して形成されたことを特徴とする手提げカートンであり、その製函は、前記左右ののりしろ片の表面に糊付けし、前側面板の左右の一対の折り目線を内側に折り返して右側面板および左側面板とそれぞれ貼着し、続いて各折り目線に従って折り曲げることで形成される手提げカートンであるから、その製函に際し、自動サック貼り機によって容易に糊貼り製函が可能で生産効率を向上させ、かつアソートするプレミアム等がない場合にも、側面全面板Ｃを手前に引き出さないままで通常の飲料用手提げカートンとして使用出来る汎用性のあるものとすることが出来るのみならず、輸送時、未使用時には従来と同様にたたんでおくことが出来る。
【００１２】
本発明は、上部に開口を有し、側面板と底面板とからなり、側面板に連接した手提げ孔つきの手提げ板を備え、前側面板７の片側下部から上部を通って反対側下部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の下側端をつなぐようにカートン底面板８との境界となる折り目線（ｆ）が、さらにこの折り目線（ｆ）より上部に折り目線（ｆ）に平行な折り目線（ｋ）が設けられており、さらにこの折り目線（ｋ）の上部で切り込み線Ａと切り込み線Ｂ，Ｂ’の間に一対の折り目線（ｍ），（ｌ）とその上部に一対の折り目線（ｎ），（ｏ）が設けられた手提げカートンであって、必要な場合には、切り込み線Ａ，Ｂ、Ｂ’を切離し、折り目線（ｌ），（ｍ）を谷折り、折り目線（ｋ）、（ｎ）．（ｏ）を山折りして、側面前面板Ｃを手前に引き出すことによって、切り込み線に囲まれた部分が側面前面版Ｃ、側面ガイド板Ｄ，Ｄ’、側面底面板Ｅとなり、追加物を保持できる保持部を形成出来る手提げカートンであるので、複数本の瓶等を持ち運ぶ環境に調和した紙製の飲料用手提げカートンとして、優れた実用上の効果を発揮するのみならず、プレゼントなどの追加物を保持できる部位を、側面に設けられた切込みと折り線により必要な場合に手で簡単に設けることが出来る、たとえば飲料缶用の手提げカートンが得られる。
【００１３】
また、本発明の手提げカートンによれば、プレミアム等の追加物を保持できる部分がＰＯＰとして広告機能を有することによって商品への注目度を高める効果が期待できる。
【発明を実施するための最良の形態】
【００１４】
以下本発明の実施の形態例を図面を用いて説明する。
【００１５】
図１は本発明の手提げカートン用ブランクの一実施の形態を表した展開図である。図２は本発明の手提げカートンの一実施の形態を斜視図様に表した概略説明図である。（ａ）は追加物保持部分を使用しない場合、（ｂ）は追加物保持部分を使用する場合のそれぞれ説明図である。図３は本発明の手提げカートンの追加物保持部分の使用方法の一例を示す概略説明図である。
【００１６】
本発明の手提げカートンは、図１に示すような、中央下部に横長矩形状の前手提げ孔１を穿設してなる前手提げ板３と、その上部に、一対の折り目線（ｂ），（ｃ）を介した左右に右側面板５および左側面板６を有する前側面板７が、折り目線（ａ）を介して連接され、前側面版７の上部には折り目線（ｆ）を介して底面板８が連接され、底面版８の上部には左右に折り目線（ｇ），（ｈ）を介して連接された左右ののりしろ片９，１０を有する後側面板１１が折り目線（ｉ）を介して連接され、後側面板の上部には、折り目線（ｊ）を介して、中央上部に横長矩形状の後手提げ孔２を穿設してなる後手提げ板４とが連接してなるブランクスを製函して形成される手提げカートンである。
【００１７】
さらに、本発明の手提げカートンは、上記ブランクスの前側面板７の片側上部から下部を通って反対側上部に至る略左右対称な切り込み線Ａが穿設され、その切り込み線Ａの左右両端部から一定間隔を空けた内側の前側面板両側に一対の上下方向に略平行な切り込み線Ｂ，Ｂ’が設けられ、この両側の切り込み線Ｂ，Ｂ’の上側端をつなぐようにカートン底面板８との境界となる折り目線（ｆ）が、さらにこの折り目線（ｆ）より下部に折り目線（ｆ）に平行な折り目線（ｋ）が設けられており、さらにこの折り目線（ｋ）の下部で切り込み線Ａと切り込み線Ｂ，Ｂ’の間に一対の折り目線（ｍ），（ｌ）とその下部に一対の折り目線（ｎ），（ｏ）が設けられたブランクスを製函して形成されたことを特徴とする手提げカートンである。
【００１８】
本発明の手提げカートンの製函は、たとえば、ブランクスの前記左右ののりしろ片９、１０の表面に糊付けし、一対の折り目線（ｇ）、（ｈ）と前側面板７の左右のそれぞれ一対の折り目線（ｂ）、（ｃ）と（ｆ）、（ｉ）、（ｊ）、必要なら（ｄ）、（ｅ）、（ｑ）を内側に折り返してのりしろ片９、１０と右側面板５および左側面板６とそれぞれ貼着することで手提げカートンを形成する。
【００１９】
本発明の手提げカートンに用いる材料としては、例えば米坪量１９０ｇ／ｍ2〜３５０ｇ／ｍ2程度の比較的薄く、少なくとも表面が白色コートされたコートボール、コートマニラ、アイボリー等の板紙が挙げられ、特に、Ｇダンボールが強度と密度の点から好ましい。
【００２０】
また、商品の訴求効果を高めるためには表面に広告宣伝などの印刷ができるものが好ましい。印刷は通常のグラビア法またはオフセット法等により行われ、使用するインキも周知のものが用いられる。
【００２１】
図２、図３には、本発明の手提げカートンの組み立てを示す。
【００２２】
たとえば、店頭でのプレミアム商品等の添付が必要のない場合には、前側面板７の部分の切り込み線Ａ、Ｂ、Ｂ’及び折り目線（ｋ）、（ｌ）、（ｍ）、（ｎ）、（ｏ）は触ることなく図２（ａ）のように追加物保持機能を使用しない状態で組み立てて、通常の手提げカートンとして内容物（図示せず）を挿入して用いる。
【００２３】
プレミアム商品等の添付を行う時には、前側面板７の部分の切り込み線Ａ、Ｂ、Ｂ’で切り離し、側面前面板Ｃを手前に引き出して折り目線（ｋ）、（ｎ）、（ｏ）を内側に、折り目線（ｌ）、（ｍ）を外側に折り曲げて、図２（ｂ）に示すように、側面前面版Ｃ、側面ガイド板Ｄ，Ｄ’、側面底面板Ｅとからなる追加物を保持できる保持部を形成する。
【００２４】
本発明の手提げカートンの追加物保持機能が利用される場合の使用方法の一例の概略説明図を図３に示した。
【００２５】
図１において、本発明の手提げカートン両側端部から切り込み線Ａ、Ｂ、Ｂ’までの一定間隔を空ける長さ、折込み線（ｌ）、（ｍ）と上部折込み線（ｎ）、（ｏ）の設定間隔は、追加物の大きさおよびとカートンの大きさにより適宜設定される。
【００２６】
以上のように、本発明の手提げカートンによれば、その製函に際し、自動サック貼り機によって容易に糊貼り製函が可能であり、追加物保持部の形成も簡単に出来、追加物の保持部にも印刷を施すことによって店頭陳列効果をも付与することができる優れた効果が得られた。
【図面の簡単な説明】
【００２７】
【図１】本発明の手提げカートン用ブランクの一実施の形態を表した展開図である。
【図２】本発明の手提げカートンの一実施の形態を斜視図様に表した概略説明図である。（ａ）は追加物保持部分を使用しない場合、（ｂ）は追加物保持部分を使用する場合のそれぞれ説明図である。
【図３】本発明の手提げカートンの追加物保持部分の使用方法の一例を示す概略説明図である。
【図４】従来の軟フィルム製キャリアバッグの一事例を斜視図様に表した概略説明図である。
【図５】従来の紙製キャリアバッグの一事例を斜視図様に表した概略説明図である。
【符号の説明】
【００２８】
１…前手提げ孔
２…後手提げ孔
３…前手提げ板
４…後手提げ板
５…右側面板
６…左側面板
７…前側面板
８…底面板
９…のりしろ片
１０…のりしろ片
１１…後側面板
１２…上中側板
１３…後板
１４…上中板
２２…下中側板
（ａ）…折り目線
（ｂ）…折り目線
（ｃ）…折り目線
（ｄ）…折り目線
（ｅ）…折り目線
（ｆ）…折り目線
（ｇ）…折り目線
（ｈ）…折り目線
（ｉ）…折り目線
（ｊ）…折り目線
（ｋ）…折り目線
（ｌ）…折り目線
（ｍ）…折り目線
（ｎ）…折り目線
（ｏ）…折り目線
（ｐ）…折り目線
（ｑ）…折り目線
（ｒ）…折り目線
７０…把手片
８０…突起片
８２…略三角形状くぼみ
９０…軟フィルム製キャリアバッグ
９２…把手
９６…十字状仕切り板
Ａ…切り込み線
Ｂ…切り込み線
Ｂ’…切り込み線
Ｃ…側面前面板
Ｄ…側面ガイド板
Ｄ’…側面ガイド板
Ｅ…側面底面板
【図１】
2010006445.tif 000003
【図２】
2010006445.tif 000004
【図４】
2010006445.tif 000005
【図５】
2010006445.tif 000006
【図３】
2010006445.tif 000007